【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
患者の身体内の組織にインプラントするマーカにおいて：
第１及び第２の自由端を有する細長いコア部材であって、前記コア部材が非直線形状であるが、弾性的にフレキシブルであり、前記コア部材が真っ直ぐになってターゲット組織領域への前記コア部材の導入を容易にするようにバイアスされているコア部材と；
前記コア部材に担持されている電子回路であって、前記マーカにあたる電磁信号を、反射した信号が前記マーカの同定を強化するように変調する電子回路と；
を具えることを特徴とするマーカ。
【請求項２】
請求項１に記載のマーカが更に、前記コア部材に結合された複数のビーズを具え、当該ビーズが、複数の平坦面と切り立ったコーナを具え、電磁信号の反射を強化して前記マーカの同定を容易にすることを特徴とするマーカ。
【請求項３】
患者の身体内のターゲット組織領域の位置決め用マーカにおいて：
細長いコア部材と；
当該コア部材に結合された複数のビーズであって、電磁信号の反射を強化して前記マーカの同定を容易にする複数の面とエッジを具えるビーズと；
を具えることを特徴とするマーカ。
【請求項４】
請求項３に記載のマーカが更に、前記ビーズ又は前記コア部材の一方によって担持される電子回路を具え、当該電子回路が、前記マーカに当たる電磁信号を、反射した信号が前記マーカの同定を強化するように変調するよう構成されていることを特徴とするマーカ。
【請求項５】
患者の身体内の組織にインプラントするマーカにおいて：
細長いコア部材と；
前記コア部材に結合された複数のビーズであって、複数の面とエッジを具えて電磁信号の反射を強化して、前記マーカの同定を容易にするビーズと；
前記ビーズの一つあるいは前記コア部材に担持された電子回路であって、前記マーカにあたる電磁信号を反射信号が前記マーカの同定を強化するように変調する電子回路と；
を具えることを特徴とするマーカ。
【請求項６】
請求項１、２、４及び５のいずれか１項に記載のマーカにおいて、前記電子回路が一またはそれ以上のダイオードと、一のＦＥＴトランジスタを具えることを特徴とするマーカ。
【請求項７】
請求項１乃至６のいずれか１項に記載のマーカにおいて、前記コア部材が１０ミリメートル（１０．０ｍｍ）以下の長さであることを特徴とするマーカ。
【請求項８】
請求項１乃至７のいずれか１項に記載のマーカにおいて、前記コア部材が非直線形状であるが、弾性的にフレキシブルであり、前記コア部材が真っ直ぐになってターゲット組織領域への前記コア部材の導入を容易にするようにバイアスされていることを特徴とするマーカ。
【請求項９】
請求項８に記載のマーカにおいて、前記コア部材がらせん形状にバイアスされていることを特徴とするマーカ。
【請求項１０】
請求項９に記載のマーカにおいて、前記コア部材がテーパ付きらせん形状にバイアスされていることを特徴とするマーカ。
【請求項１１】
請求項１乃至９のいずれか１項に記載のマーカが更に、前記ビーズ又は前記コアワイヤの一方から延在する細長テザーを具えることを特徴とするマーカ。
【請求項１２】
請求項１１に記載のマーカにおいて、前記細長テザーが前記ビーズ又は前記コアワイヤの一方に開放可能に連結されていることを特徴とするマーカ。
【請求項１３】
請求項１乃至９のいずれか１項に記載のマーカにおいて、前記マーカがその他のデバイス又はテザーから独立してインプラントするように構成されていることを特徴とするマーカ。
【請求項１４】
請求項２乃至１３のいずれか１項に記載のシステムにおいて、前記ビーズの一又はそれ以上に所定の表面仕上げがなされており、当該一又はそれ以上のビーズから反射された信号を変調して、前記マーカの同定を強化することを特徴とするシステム。
【請求項１５】
患者の身体内のターゲット組織領域の位置決めシステムにおいて：
請求項１乃至１４のいずれか１項に記載のマーカと；
患者の身体内に電子信号を送信し、当該患者の身体からの反射信号を受信する一又はそれ以上のアンテナを具え、前記反射信号を分析して前記患者の身体内にインプラントした後の前記マーカを同定するプローブと；
を具えることを特徴とするシステム。
【請求項１６】
患者の身体内のターゲット組織領域を位置決めするシステムにおいて：
患者の身体へ電磁信号を送信し、当該患者の身体からの反射信号を受信する一又はそれ以上のアンテナを具え、前記反射信号を分析して前記患者の身体内の一又はそれ以上の物体を同定するプローブと；
患者の身体内にインプラントするサイズのマーカであって、前記プローブによる前記マーカの同定を強化する能動反射器を具えるマーカと；
を具えることを特徴とするシステム。
【請求項１７】
請求項１６に記載のシステムにおいて、前記マーカが、当該マーカに当たる前記プローブからの入射信号を、前記マーカからの反射信号を前記プローブによる同定を強化するように変調する電子回路を具えることを特徴とするシステム。
【請求項１８】
請求項１７に記載のシステムにおいて、前記電子回路が前記反射信号を位相シフトさせ、前記プローブが当該位相シフトを同定して、前記患者の身体内のその他の物体から前記マーカを区別するように構成されていることを特徴とするシステム。
【請求項１９】
請求項１７に記載のシステムにおいて、前記プローブが超広域帯（ＵＷＢ）信号を送信するように構成されており、前記電子回路が当該ＵＷＢを変調して、前記反射信号が比較的狭い帯域を有するようにすることを特徴とするシステム。
【請求項２０】
請求項１５乃至１９のいずれか１項に記載のシステムが更に、患者の身体内へ前記マーカを導入する送達デバイスを具えることを特徴とするシステム。
【請求項２１】
請求項２０に記載のシステムにおいて、前記送達デバイスが針とカニューレのうちの一方を具えることを特徴とするシステム。
【請求項２２】
患者の身体内のターゲット組織領域の位置決めシステムにおいて：
患者の身体内に電子信号を送信し、当該患者の身体からの反射信号を受信する一又はそれ以上のアンテナを具え、前記反射信号を分析して前記患者の身体内の一又はそれ以上の物体を同定するプローブと；
患者の身体内にインプラントするサイズのマーカであって、前記プローブによる前記マーカの同定を強化する能動トランスポンダを具えるマーカと；
を具えることを特徴とするシステム。
【請求項２３】
患者の身体内のターゲット組織領域の位置決めシステムにおいて：
近位端と遠位端を具えるシャフトと、前記遠位端の上のターゲットを具える位置決めワイヤと；
電子信号を送受信する一又はそれ以上のアンテナを具え、前記位置決めワイヤがターゲット組織領域内に導入され、前記プローブが前記ターゲット組織領域近傍に配置されたときに、前記ターゲットを検出するプローブと；
を具えることを特徴とするシステム。
【請求項２４】
請求項１５乃至２３のいずれか１項に記載のシステムにおいて、前記プローブが前記プローブに対する前記ターゲット又はマーカの空間的関係に基づいて空間情報を提供する出力デバイスを具えることを特徴とするシステム。
【請求項２５】
請求項２４に記載のシステムにおいて、前記出力デバイスがディスプレイを具えることを特徴とするシステム。
【請求項２６】
請求項２４に記載のシステムにおいて、前記空間情報が組織に対して配置され、前記ターゲットの方向を向いている前記プローブの端部からの距離を具えることを特徴とするシステム。
【請求項２７】
請求項１５乃至２６のいずれか１項に記載のシステムにおいて、前記プローブがプロセッサを具え、当該プロセッサが、前記一又はそれ以上のアンテナを用いて取得したデータから前記ターゲット又はマーカを自動的に同定し、前記プローブに対する前記ターゲットの空間的関係に基づいて空間情報を決定するように構成されていることを特徴とするシステム。
【請求項２８】
請求項１５乃至２７のいずれか１項に記載のシステムにおいて、前記プローブが患者の身体の組織に対して配置されるよう構成された第１の端部を有する可搬デバイスを具え、これによって、前記一又はそれ以上のアンテナを前記患者の身体内の組織に向けることを特徴とするシステム。
【請求項２９】
患者の身体内のターゲット組織領域の位置決めシステムにおいて：
患者の身体内の組織を介して導入するサイズの近位端と遠位端を具えるシャフトを具える送達デバイスであって、前記ターゲット組織領域内又は周囲にインプラント可能な一又はそれ以上のマーカを担持する送達デバイスと；
電磁信号を送受信する一又はそれ以上のアンテナを具え、前記プローブが前記ターゲット組織領域近傍に配置されたときに、前記ターゲット内又は周囲にインプラントされた一又はそれ以上のマーカを検出するプローブと；
を具えることを特徴とするシステム。
【請求項３０】
請求項２０、２１、又は２９に記載のシステムにおいて、前記送達デバイスが前記ターゲット組織領域内又は周囲の複数のマーカを順次送達するように構成されていることを特徴とするシステム。